【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
アクセスポイントデータベースの情報を提供する方法であって、
モバイルクライアントから前記アクセスポイントデータベースにアクセスするための要求を受信すること、
少なくとも前記モバイルクライアントのアプリケーション要件に従って前記アクセスポイントデータベースのセグメントを生成すること、ここにおいて、前記モバイルクライアントの前記アプリケーション要件は、前記モバイルクライアントによって要求されるプレシジョンレベル、および前記モバイルクライアントのキャッシュレベルを備え、ここにおいて、前記モバイルクライアントによって要求される前記プレシジョンレベルおよび前記モバイルクライアントの前記キャッシュレベルは、前記アクセスポイントデータベースの前記セグメントに基づいてアプリケーションを動かす際に、前記モバイルクライアントの性能を示す、そして、
前記モバイルクライアントに前記アクセスポイントデータベースの前記セグメントを提供すること、
を備える、上記方法。
【請求項２】
前記アクセスポイントデータベースの前記セグメントを生成することは、
リアル‐タイムで前記アクセスポイントデータベースの前記セグメントを生成すること、そして、
あらかじめ生成され、および前記アクセスポイントデータベースに記憶された前記アクセスポイントデータベースの前記セグメントを提供すること、
のうちの少なくとも１つを備える、請求項１に記載の方法。
【請求項３】
前記アクセスポイントデータベースの前記セグメントを生成することは、
前記モバイルクライアントが位置される地理的エリアにおける複数のアクセスポイントの密度に従って前記アクセスポイントデータベースの前記セグメントのサイズを低減すること、
前記モバイルクライアントが位置される前記地理的エリアの建物の形態に従って前記アクセスポイントデータベースの前記セグメントのサイズを低減すること、
前記モバイルクライアントが位置される前記地理的エリアにおける１つ以上のアクセスポイントのポピュラリティに従って前記アクセスポイントデータベースの前記セグメントのサイズを低減すること、そして、
前記モバイルクライアントが位置される前記地理的エリアにおける１つ以上のアクセスポイントの最大のアンテナレンジフィールドに従って前記アクセスポイントデータベースの前記セグメントのサイズを低減すること、
のうちの少なくとも１つをさらに備える、請求項１に記載の方法。
【請求項４】
複数のアクセスポイントの密度に従って前記アクセスポイントデータベースの前記セグメントのサイズを低減することは、
前記モバイルクライアントが位置される前記地理的エリアにおけるアクセスポイントの数を決定すること、そして、
所定の低減ファクタに少なくとも部分的に基づいてアクセスポイントの前記数を低減すること、
を備える、請求項３に記載の方法。
【請求項５】
前記地理的エリアの建物の形態に従って前記アクセスポイントデータベースの前記セグメントのサイズを低減することは、
前記モバイルクライアントが位置される前記地理的エリアにおける建物の密度を入手することおよび前記地理的エリアにおける建物の前記密度に少なくとも部分的に基づいてアクセスポイントの数を低減すること、
前記モバイルクライアントが位置される建物の高さを入手することおよび前記建物の前記高さに少なくとも部分的に基づいてアクセスポイントの前記数を低減すること、そして、
前記建物における複数のアクセスポイントの高度情報を入手することおよび前記高度情報に従ってアクセスポイント配分を維持すること、
のうちの少なくとも１つを備える、請求項３に記載の方法。
【請求項６】
前記地理的エリアにおける１つ以上のアクセスポイントのポピュラリティに従って前記アクセスポイントデータベースの前記セグメントのサイズを低減することは、
前記地理的エリアにおけるモバイルクライアントによる前記１つ以上のアクセスポイントの使用に従って前記１つ以上のアクセスポイントの各々にスコアを割り当てること、そして、
前記１つ以上のアクセスポイントの各々の前記スコアに少なくとも部分的に基づいてアクセスポイントの数を維持すること、
を備える、請求項３に記載の方法。
【請求項７】
前記地理的エリアにおける１つ以上のアクセスポイントの最大のアンテナレンジフィールドに従って前記アクセスポイントデータベースの前記セグメントのサイズを低減することは、
最大のアンテナレンジの大きい、中間の、および小さい値を有する複数のアクセスポイントの既定の比率に少なくとも部分的に基づいて複数のアクセスポイントを低減すること、
を備える、請求項３に記載の方法。
【請求項８】
少なくとも前記モバイルクライアントのアプリケーション要件に従って前記アクセスポイントデータベースの前記セグメントを生成することは、
モバイルクライアントからアップロードされたクラウドソーシングデータを適応的に制御することによって前記アクセスポイントデータベースの前記セグメントのサイズを低減すること、
をさらに備える、請求項１に記載の方法。
【請求項９】
モバイルクライアントからアップロードされたクラウドソーシングデータを適応的に制御することは、
前記モバイルクライアントが位置される地理的エリアにおけるアクセスポイントの数に少なくとも部分的に基づいて、アップロードされたクラウドソーシングデータの量を制御すること、
を備える、請求項８に記載の方法。
【請求項１０】
モバイルクライアントからアップロードされたクラウドソーシングデータを適応的に制御することは、
前記モバイルクライアントが位置される地理的エリアにおける複数のアクセスポイントの最大のアンテナレンジに少なくとも部分的に基づいて、アップロードされたクラウドソーシングデータの量を制御すること、
をさらに備える、請求項８に記載の方法。
【請求項１１】
装置であって、
少なくとも１つのプロセッサを備え、ここにおいて、前記少なくとも１つのプロセッサは、
モバイルクライアントからアクセスポイントデータベースにアクセスするための要求を受信するように構成される論理、
少なくとも前記モバイルクライアントのアプリケーション要件に従って前記アクセスポイントデータベースのセグメントを生成するように構成される論理、ここにおいて、前記モバイルクライアントの前記アプリケーション要件は、前記モバイルクライアントによって要求されるプレシジョンレベル、および前記モバイルクライアントのキャッシュレベルを備え、ここにおいて、前記モバイルクライアントによって要求される前記プレシジョンレベルおよび前記モバイルクライアントの前記キャッシュレベルは、前記アクセスポイントデータベースの前記セグメントに基づいてアプリケーションを動かす際に、前記モバイルクライアントの性能を示す、そして、
前記モバイルクライアントに前記アクセスポイントデータベースの前記セグメントを提供するように構成される論理、
を備える、上記装置。
【請求項１２】
前記アクセスポイントデータベースの前記セグメントを生成するように構成される論理は、
リアル‐タイムで前記アクセスポイントデータベースの前記セグメントを生成するように構成される論理、そして、
あらかじめ生成され、および前記アクセスポイントデータベースに記憶された前記アクセスポイントデータベースの前記セグメントを提供するように構成される論理、
のうちの少なくとも１つを備える、請求項１１に記載の装置。
【請求項１３】
前記アクセスポイントデータベースの前記セグメントを生成するように構成される論理は、
前記モバイルクライアントが位置される地理的エリアにおける複数のアクセスポイントの密度に従って前記アクセスポイントデータベースの前記セグメントのサイズを低減するように構成される論理、
前記モバイルクライアントが位置される前記地理的エリアの建物の形態に従って前記アクセスポイントデータベースの前記セグメントのサイズを低減するように構成される論理、
前記モバイルクライアントが位置される前記地理的エリアにおける１つ以上のアクセスポイントのポピュラリティに従って前記アクセスポイントデータベースの前記セグメントのサイズを低減するように構成される論理、そして、
前記モバイルクライアントが位置される前記地理的エリアにおける１つ以上のアクセスポイントの最大のアンテナレンジフィールドに従って前記アクセスポイントデータベースの前記セグメントのサイズを低減するように構成される論理、
のうちの少なくとも１つをさらに備える、請求項１１に記載の装置。
【請求項１４】
複数のアクセスポイントの密度に従って前記アクセスポイントデータベースの前記セグメントのサイズを低減するように構成される論理は、
前記モバイルクライアントが位置される前記地理的エリアにおけるアクセスポイントの数を決定するように構成される論理、そして、
所定の低減ファクタに少なくとも部分的に基づいてアクセスポイントの前記数を低減するように構成される論理、
を備える、請求項１３に記載の装置。
【請求項１５】
前記地理的エリアの建物の形態に従って前記アクセスポイントデータベースの前記セグメントのサイズを低減するように構成される論理は、
前記モバイルクライアントが位置される前記地理的エリアにおける建物の密度を入手するおよび前記地理的エリアにおける建物の前記密度に少なくとも部分的に基づいてアクセスポイントの数を低減するように構成される論理、
前記モバイルクライアントが位置される建物の高さを入手するおよび前記建物の前記高さに少なくとも部分的に基づいてアクセスポイントの前記数を低減するように構成される論理、そして、
前記建物における複数のアクセスポイントの高度情報を入手するおよび前記高度情報に従ってアクセスポイント配分を維持するように構成される論理、
のうちの少なくとも１つを備える、請求項１３に記載の装置。
【請求項１６】
前記地理的エリアにおける１つ以上のアクセスポイントのポピュラリティに従って前記アクセスポイントデータベースの前記セグメントのサイズを低減するように構成される論理は、
前記地理的エリアにおけるモバイルクライアントによる前記１つ以上のアクセスポイントの使用に従って前記１つ以上のアクセスポイントの各々にスコアを割り当てるように構成される論理、そして、
前記１つ以上のアクセスポイントの各々の前記スコアに少なくとも部分的に基づいてアクセスポイントの数を維持するように構成される論理、
を備える、請求項１３に記載の装置。
【請求項１７】
前記地理的エリアにおける１つ以上のアクセスポイントの最大のアンテナレンジフィールドに従って前記アクセスポイントデータベースの前記セグメントのサイズを低減するように構成される論理は、
最大のアンテナレンジの大きい、中間の、および小さい値を有する複数のアクセスポイントの既定の比率に少なくとも部分的に基づいて複数のアクセスポイントを低減するように構成される論理、
を備える、請求項１３に記載の装置。
【請求項１８】
少なくとも前記モバイルクライアントのアプリケーション要件に従って前記アクセスポイントデータベースの前記セグメントを生成するように構成される論理は、
モバイルクライアントからアップロードされたクラウドソーシングデータを適応的に制御することによって前記アクセスポイントデータベースの前記セグメントのサイズを低減するように構成される論理、
をさらに備える、請求項１１に記載の装置。
【請求項１９】
モバイルクライアントからアップロードされたクラウドソーシングデータを適応的に制御するように構成される論理は、
前記モバイルクライアントが位置される地理的エリアにおけるアクセスポイントの数に少なくとも部分的に基づいて、アップロードされたクラウドソーシングデータの量を制御するように構成される論理、
を備える、請求項１８に記載の装置。
【請求項２０】
モバイルクライアントからアップロードされたクラウドソーシングデータを適応的に制御するように構成される論理は、
前記モバイルクライアントが位置される地理的エリアにおける複数のアクセスポイントの最大のアンテナレンジに少なくとも部分的に基づいて、アップロードされたクラウドソーシングデータの量を制御するように構成される論理、
をさらに備える、請求項１８に記載の装置。
【請求項２１】
１つ以上のコンピュータシステムによる実行のためのコンピュータプログラムを記憶する非トランジトリな媒体を備えるコンピュータプログラム製品であって、前記コンピュータプログラム製品は、
モバイルクライアントからアクセスポイントデータベースにアクセスするための要求を受信するためのコード、
少なくとも前記モバイルクライアントのアプリケーション要件に従って前記アクセスポイントデータベースのセグメントを生成するためのコード、ここにおいて、前記モバイルクライアントの前記アプリケーション要件は、前記モバイルクライアントによって要求されるプレシジョンレベル、および前記モバイルクライアントのキャッシュレベルを備え、ここにおいて、前記モバイルクライアントによって要求される前記プレシジョンレベルおよび前記モバイルクライアントの前記キャッシュレベルは、前記アクセスポイントデータベースの前記セグメントに基づいてアプリケーションを動かす際に、前記モバイルクライアントの性能を示す、そして、
前記モバイルクライアントに前記アクセスポイントデータベースの前記セグメントを提供するためのコード、
を備える、コンピュータプログラム製品。
【請求項２２】
前記アクセスポイントデータベースの前記セグメントを生成するためのコードは、
リアル‐タイムで前記アクセスポイントデータベースの前記セグメントを生成するためのコード、そして、
あらかじめ生成され、および前記アクセスポイントデータベースに記憶された前記アクセスポイントデータベースの前記セグメントを提供するためのコード、
のうちの少なくとも１つを備える、請求項２１に記載のコンピュータプログラム製品。
【請求項２３】
前記アクセスポイントデータベースの前記セグメントを生成するためのコードは、
前記モバイルクライアントが位置される地理的エリアにおける複数のアクセスポイントの密度に従って前記アクセスポイントデータベースの前記セグメントのサイズを低減するためのコード、
前記モバイルクライアントが位置される前記地理的エリアの建物の形態に従って前記アクセスポイントデータベースの前記セグメントのサイズを低減するためのコード、
前記モバイルクライアントが位置される前記地理的エリアにおける１つ以上のアクセスポイントのポピュラリティに従って前記アクセスポイントデータベースの前記セグメントのサイズを低減するためのコード、そして、
前記モバイルクライアントが位置される前記地理的エリアにおける１つ以上のアクセスポイントの最大のアンテナレンジフィールドに従って前記アクセスポイントデータベースの前記セグメントのサイズを低減するためのコード、
のうちの少なくとも１つをさらに備える、請求項２１に記載のコンピュータプログラム製品。
【請求項２４】
複数のアクセスポイントの密度に従って前記アクセスポイントデータベースの前記セグメントのサイズを低減するためのコードは、
前記モバイルクライアントが位置される前記地理的エリアにおけるアクセスポイントの数を決定するためのコード、そして、
所定の低減ファクタに少なくとも部分的に基づいてアクセスポイントの前記数を低減するためのコード、
を備える、請求項２３に記載のコンピュータプログラム製品。
【請求項２５】
前記地理的エリアの建物の形態に従って前記アクセスポイントデータベースの前記セグメントのサイズを低減するためのコードは、
前記モバイルクライアントが位置される前記地理的エリアにおける建物の密度を入手するおよび前記地理的エリアにおける建物の前記密度に少なくとも部分的に基づいてアクセスポイントの数を低減するためのコード、
前記モバイルクライアントが位置される建物の高さを入手するおよび前記建物の前記高さに少なくとも部分的に基づいてアクセスポイントの前記数を低減するためのコード、そして、
前記建物における複数のアクセスポイントの高度情報を入手するおよび前記高度情報に従ってアクセスポイント配分を維持するためのコード、
のうちの少なくとも１つを備える、請求項２３に記載のコンピュータプログラム製品。
【請求項２６】
前記地理的エリアにおける１つ以上のアクセスポイントのポピュラリティに従って前記アクセスポイントデータベースの前記セグメントのサイズを低減するためのコードは、
前記地理的エリアにおけるモバイルクライアントによる前記１つ以上のアクセスポイントの使用に従って前記１つ以上のアクセスポイントの各々にスコアを割り当てるためのコード、そして、
前記１つ以上のアクセスポイントの各々の前記スコアに少なくとも部分的に基づいてアクセスポイントの数を維持するためのコード、
を備える、請求項２３に記載のコンピュータプログラム製品。
【請求項２７】
前記地理的エリアにおける１つ以上のアクセスポイントの最大のアンテナレンジフィールドに従って前記アクセスポイントデータベースの前記セグメントのサイズを低減するためのコードは、
最大のアンテナレンジの大きい、中間の、および小さい値を有する複数のアクセスポイントの既定の比率に少なくとも部分的に基づいて複数のアクセスポイントを低減するためのコード、
を備える、請求項２３に記載のコンピュータプログラム製品。
【請求項２８】
少なくとも前記モバイルクライアントのアプリケーション要件に従って前記アクセスポイントデータベースのセグメントを生成するためのコードは、
モバイルクライアントからアップロードされたクラウドソーシングデータを適応的に制御することによって前記アクセスポイントデータベースの前記セグメントのサイズを低減するためのコード、
をさらに備える、請求項２１に記載のコンピュータプログラム製品。
【請求項２９】
モバイルクライアントからアップロードされたクラウドソーシングデータを適応的に制御するためのコードは、
前記モバイルクライアントが位置される地理的エリアにおけるアクセスポイントの数に少なくとも部分的に基づいて、アップロードされたクラウドソーシングデータの量を制御するためのコード、
を備える、請求項２８に記載のコンピュータプログラム製品。
【請求項３０】
モバイルクライアントからアップロードされたクラウドソーシングデータを適応的に制御するためのコードは、
前記モバイルクライアントが位置される地理的エリアにおける複数のアクセスポイントの最大のアンテナレンジに少なくとも部分的に基づいて、アップロードされたクラウドソーシングデータの量を制御するためのコード、
をさらに備える、請求項２８に記載のコンピュータプログラム製品。
【請求項３１】
アクセスポイントデータベースの情報を提供するためのシステムであって、
モバイルクライアントから前記アクセスポイントデータベースにアクセスするための要求を受信するための手段、
少なくとも前記モバイルクライアントのアプリケーション要件に従って前記アクセスポイントデータベースのセグメントを生成するための手段、ここにおいて、前記モバイルクライアントの前記アプリケーション要件は、前記モバイルクライアントによって要求されるプレシジョンレベル、および前記モバイルクライアントのキャッシュレベルを備え、ここにおいて、前記モバイルクライアントによって要求される前記プレシジョンレベルおよび前記モバイルクライアントの前記キャッシュレベルは、前記アクセスポイントデータベースの前記セグメントに基づいてアプリケーションを動かす際に、前記モバイルクライアントの性能を示す、そして、
前記モバイルクライアントに前記アクセスポイントデータベースの前記セグメントを提供するための手段、
を備える、上記システム。
【請求項３２】
前記アクセスポイントデータベースの前記セグメントを生成するための手段は、
リアル‐タイムで前記アクセスポイントデータベースの前記セグメントを生成するための手段、そして、
あらかじめ生成され、および前記アクセスポイントデータベースに記憶された前記アクセスポイントデータベースの前記セグメントを提供するための手段、
のうちの少なくとも１つを備える、請求項３１に記載のシステム。
【請求項３３】
前記アクセスポイントデータベースの前記セグメントを生成するための手段は、
前記モバイルクライアントが位置される地理的エリアにおける複数のアクセスポイントの密度に従って前記アクセスポイントデータベースの前記セグメントのサイズを低減するための手段、
前記モバイルクライアントが位置される前記地理的エリアの建物の形態に従って前記アクセスポイントデータベースの前記セグメントのサイズを低減するための手段、
前記モバイルクライアントが位置される前記地理的エリアにおける１つ以上のアクセスポイントのポピュラリティに従って前記アクセスポイントデータベースの前記セグメントのサイズを低減するための手段、そして、
前記モバイルクライアントが位置される前記地理的エリアにおける１つ以上のアクセスポイントの最大のアンテナレンジフィールドに従って前記アクセスポイントデータベースの前記セグメントのサイズを低減するための手段、
のうちの少なくとも１つをさらに備える、請求項３１に記載のシステム。
【請求項３４】
少なくとも前記モバイルクライアントのアプリケーション要件に従って前記アクセスポイントデータベースのセグメントを生成するための手段は、
モバイルクライアントからアップロードされたクラウドソーシングデータを適応的に制御することによって前記アクセスポイントデータベースの前記セグメントのサイズを低減するための手段、
をさらに備える、請求項３１に記載のシステム。